(57)【要約】【課題】本発明は、ストロボ装置を撮像装置から取り外した後、あるいはストロボ装置を撮像装置に装着した後の、使用者にとって無駄な操作を無くすことができるストロボ装置を提供する。【解決手段】ストロボ装置２は、ストロボ本体部９に回転可能に連結される発光部１０と、ストロボ本体部９に対する発光部１０の角度姿勢を変更可能とする可変機構１２と、該可変機構１２を駆動する駆動部１３と、該駆動部１３を制御する制御部１５とを備え、該制御部１５は、ストロボ本体部９が撮像装置１から取り外されたことを検知すると、発光部１０を所定の取り外し時角度姿勢に変更するモード、あるいは、制御部１５は、ストロボ本体部９が撮像装置１に装着されたことを検知すると、発光部１０を所定の装着時角度姿勢に変更するモードとを有する。【選択図】図５
2014038267.tif 000002
【特許請求の範囲】
【請求項１】
撮像装置に着脱自在なストロボ本体部と、該ストロボ本体部に回転可能に連結される発光部と、前記ストロボ本体部に対する前記発光部の角度姿勢を変更可能とする可変機構と、該可変機構を駆動する駆動部と、該駆動部を制御する制御部とを備えるストロボ装置であって、
前記制御部は、前記ストロボ本体部が前記撮像装置から取り外されたことを検知する検知手段と、該検知手段の検出結果に伴って前記発光部を所定の取り外し時角度姿勢に変更するモードとを有することを特徴とするストロボ装置。
【請求項２】
前記所定の取り外し時角度姿勢は、ストロボ装置をケース等の収納体に収納できるようにするための前記発光部の角度姿勢である請求項１に記載のストロボ装置。
【請求項３】
撮像装置に着脱自在なストロボ本体部と、該ストロボ本体部に回転可能に連結される発光部と、前記ストロボ本体部に対する前記発光部の角度姿勢を変更可能とする可変機構と、該可変機構を駆動する駆動部と、該駆動部を制御する制御部とを備えるストロボ装置であって、
前記制御部は、前記ストロボ本体部が前記撮像装置に装着されたことを検知する検知手段と、該検知手段の検出結果に伴って前記発光部を所定の装着時角度姿勢に変更するモードとを有することを特徴とするストロボ装置。
【請求項４】
前記所定の装着時角度姿勢は、撮影を開始するに際しての前記発光部の角度姿勢である請求項３に記載のストロボ装置。
【請求項５】
請求項１乃至請求項４のいずれか１項に記載のストロボ装置を備えることを特徴とする撮像装置。
【発明の詳細な説明】
【技術分野】
【０００１】
本発明は、撮像装置に装着され、しかも、発光部の角度姿勢を変更可能なストロボ装置（照射方向角度可変式のストロボ装置）と、このストロボ装置を備えた撮像装置とに関する。
【背景技術】
【０００２】
従来から、より自然な画像を得るために、ストロボ装置の発光部からストロボ光を天井や壁などの反射体に照射して拡散させ、被写体を間接的に照明して撮影するバウンス撮影が行われている。バウンス撮影では、発光部の照射面を被写体とは正対させず、天井や壁などの反射体のある所望の方向に向けて撮影する。
【０００３】
そして、発光部が常に反射体のある方向に向いてストロボ光を照射できるように、ストロボ装置の制御部は、撮影レンズの光軸方向である撮影方向とストロボ光を照射する照射方向（反射体のある所望の方向）とのなすバウンス角度を自動的に制御する（特許文献１参照）。この特許文献１に記載されているストロボ装置は、天面と被写体とのそれぞれに撮像装置の撮像レンズを向けてオートフォーカス測距して、それらの距離に基づいてバウンス角度を設定している。
【先行技術文献】
【特許文献】
【０００４】
【特許文献１】特開２００９−１６３１７９号公報
【発明の概要】
【発明が解決しようとする課題】
【０００５】
ところで、撮影を終えると、使用者は、ストロボ装置を撮像装置から取り外し、撮像装置は撮像装置で、ストロボ装置はストロボ装置で、それぞれケース等の収納体に収納する。この場合、ストロボ装置において、発光部の角度姿勢（照射方向角度）がバウンス角度のままであると、使用者は、ストロボ装置を収納体に収納できるように、すなわち、ストロボ装置の形態が収納体の内部空間形状に合致するように、発光部の角度姿勢を直してから、ストロボ装置を収納体に収納する必要がある。
【０００６】
また、撮影を開始するに際し、使用者は、ストロボ装置を収納体から取り出し、撮像装置に装着するが、さらには、ストロボ装置が収納体に収納されていた時の発光部の角度姿勢と、撮影開始時における発光部の角度姿勢とが異なっている場合、発光部を撮影開始時の角度姿勢に直す必要がある。そのため、シャッターチャンスを逃すことがある。
【０００７】
本発明は、かかる事情に鑑みてなされたもので、ストロボ装置を撮像装置から取り外した後、あるいはストロボ装置を撮像装置に装着した後の、使用者にとって無駄な操作を無くすことができるストロボ装置及び撮像装置を提供することを課題とする。
【課題を解決するための手段】
【０００８】
本発明に係るストロボ装置は、撮像装置に着脱自在なストロボ本体部と、該ストロボ本体部に回転可能に連結される発光部と、ストロボ本体部に対する発光部の角度姿勢を変更可能とする可変機構と、該可変機構を駆動する駆動部と、該駆動部を制御する制御部とを備えるストロボ装置であって、制御部は、ストロボ本体部が撮像装置から取り外されたことを検知する検知手段と、該検知手段の検出結果に伴って発光部を所定の取り外し時角度姿勢に変更するモードとを有することを特徴とする。
【０００９】
かかる構成によれば、制御部が駆動部を制御し、駆動部が可変機構を駆動することにより、ストロボ本体部に対する発光部の角度姿勢が変更される。そして、ストロボ本体部が撮像装置から取り外される、すなわち、ストロボ装置が撮像装置から取り外されると、制御部は、そのことを検知手段を介して認識し、これに伴い、発光部が所定の取り外し時角度姿勢となるよう、駆動部を制御する。従って、ストロボ装置が撮像装置から取り外されると、発光部は自動的に取り外し時角度姿勢に変更されることとなる。
【００１０】
ここで、本発明に係るストロボ装置の一態様として、所定の取り外し時角度姿勢は、ストロボ装置をケース等の収納体に収納できるようにするための発光部の角度姿勢であるようにすることができる。
【００１１】
かかる構成によれば、ストロボ装置が撮像装置から取り外されると、使用者が、ストロボ装置を収納体に収納できるように、すなわち、ストロボ装置の形態が収納体の内部空間形状に合致するように、発光部の角度姿勢を直さずとも、発光部は自動的に収納体の内部空間形状に合致するような角度姿勢に変更される。従って、撮像装置から取り外されたストロボ装置は、そのまま直ちに収納体に収納できるようになる。
【００１２】
また、本発明に係る別のストロボ装置は、撮像装置に着脱自在なストロボ本体部と、該ストロボ本体部に回転可能に連結される発光部と、ストロボ本体部に対する発光部の角度姿勢を変更可能とする可変機構と、該可変機構を駆動する駆動部と、該駆動部を制御する制御部とを備えるストロボ装置であって、制御部は、ストロボ本体部が撮像装置に装着されたことを検知する検知手段と、該検知手段の検出結果に伴って発光部を所定の装着時角度姿勢に変更するモードとを有することを特徴とする。
【００１３】
かかる構成によれば、制御部が駆動部を制御し、駆動部が可変機構を駆動することにより、ストロボ本体部に対する発光部の角度姿勢が変更される。そして、ストロボ本体部が撮像装置に装着される、すなわち、ストロボ装置が撮像装置に装着されると、制御部は、そのことを検知手段を介して認識し、これに伴い、発光部が所定の装着時角度姿勢となるよう、駆動部を制御する。従って、ストロボ装置が撮像装置に装着されると、発光部は自動的に装着時角度姿勢に変更されることとなる。
【００１４】
ここで、本発明に係る別のストロボ装置の一態様として、所定の装着時角度姿勢は、撮影を開始するに際しての発光部の角度姿勢であるようにすることができる。かかる構成によれば、ストロボ装置が撮像装置に装着されると、使用者が発光部を撮影開始時の角度姿勢に直さずとも、発光部は自動的に撮影開始時の角度姿勢に変更される。従って、撮像装置に装着されたストロボ装置は、そのまま直ちに使用可能な状態になる。
【００１５】
また、本発明に係る撮像装置は、上記ストロボ装置を備えることを特徴とする。
【発明の効果】
【００１６】
以上の如く、本発明によれば、ストロボ装置を撮像装置から取り外した後、あるいはストロボ装置を撮像装置に装着した後の、使用者にとって無駄な操作を無くすことができる。
【図面の簡単な説明】
【００１７】
【図１】本発明の一実施形態に係る撮像装置の構成を示すブロック図
【図２】同実施形態に係るストロボ装置の側面図
【図３】同実施形態に係るストロボ装置の上面図
【図４】（ａ）同実施形態に係るストロボ装置が設定可能な上下方向の照射範囲を説明する説明図、（ｂ）同実施形態に係るストロボ装置が設定可能な左右方向の照射範囲を説明する説明図
【図５】（ａ）同実施形態に係るストロボ装置が撮像装置に装着されている状態の斜視図、（ｂ）ストロボ装置が撮像装置から取り外された状態の斜視図、（ｃ）ストロボ装置が撮像装置に再び装着された状態の斜視図、（ｄ）ストロボ装置が撮像装置に装着された後の状態の斜視図
【発明を実施するための形態】
【００１８】
本発明に係る撮像装置及びストロボ装置の一実施形態について、図１〜図５を参酌しつつ、説明する。本実施形態に係る撮像装置１は、図１に示すように、被写体にストロボ光を照射するストロボ装置２を装着可能に構成している。撮像装置１は、被写体を撮影する撮影機能部３と、ストロボ装置２及び撮影機能部３を制御する制御部４と、被写体を撮影した画像などを表示する表示部５と、撮影条件の設定や電源を切り換えるための操作部６と、周辺機器との間で画像データなどを入出力するための周辺Ｉ／Ｆ７と、ストロボ装置２を発光させて被写体を撮影するためにユーザが操作するシャッター８とを備えている。
【００１９】
ストロボ装置２は、図２及び図３に示すように、ストロボ本体部９と、ストロボ本体部９に回転可能に連結され、閃光放電管１１が収納されて外部へ発光する発光部１０と、発光部１０の角度姿勢を変更可能とする可変機構１２と、可変機構１２を駆動する駆動部１３と、ストロボ本体部９に対する発光部１０の角度を検出する角度検出部１４と、ストロボ装置を制御する制御部１５と、ストロボ本体部９に設けられ、各種設定値を入力したり、各種モードを選択するための操作部１６とを備えている。
【００２０】
ストロボ本体部９は、矩形状に形成された筐体であり、その上面側に発光部１０を回転可能に連結し、その下面側に撮像装置１を連結可能に構成されている。ストロボ本体部９は、正面が撮像装置１の撮影方向Ａ（撮像レンズの光軸方向）を向くように撮像装置１に連結されている。
【００２１】
発光部１０は、略矩形状に形成された筐体であり、一方の面に閃光放電管１１が発光した光を照射する開口部１７を備えている。発光部１０は、鉛直方向Ｂに対する開口部１７の傾斜角度姿勢を変更するなどして、ストロボ光の照射方向Ｃを変更可能に構成されている。
【００２２】
可変機構１２は、図４（ａ）及び図４（ｂ）に示すように、ストロボ本体部９と発光部１０とを回転可能に連結している。具体的には、可変機構１２は、ストロボ本体部９の幅方向Ｄに沿って設けられる横軸Ｘを中心に鉛直方向Ｂに回転可能な鉛直方向可変機構１８と、ストロボ本体部９の上下方向Ｅ（高さ方向）に設けられる縦軸Ｙを中心に水平方向Ｆに回転可能な水平方向可変機構１９とを備えている。
【００２３】
鉛直方向可変機構１８は、図４（ａ）に示すように、鉛直方向Ｂにおける発光部１０の角度姿勢を変更可能に設けられている。より詳しくは、鉛直方向可変機構１８は、通常照射方向角度（発光部１０が通常撮影位置Ｐ１にあるときの角度）と、ユーザによって設定され、通常照射方向角度とは異なる所望照射方向角度（発光部１０がバウンス撮影位置Ｐ２にあるときの角度）との間を含む範囲で鉛直方向Ｂにおける発光部１０の角度姿勢を変更可能に設けられている。本実施形態においては、鉛直方向可変機構１８は、鉛直方向１８０度の回転角度を有している。
【００２４】
水平方向可変機構１９は、図４（ｂ）に示すように、水平方向Ｆにおける発光部１０の角度姿勢を変更可能に設けられている。本実施形態においては、水平方向可変機構１９は、左右方向１８０度の回転角度を有している。
【００２５】
駆動部１３は、図２及び図３に示すように、鉛直方向可変機構１８を駆動する鉛直方向駆動部２０（図３参照）と、水平方向可変機構１９を駆動する水平方向駆動部２１（図２参照）とを備えている。
【００２６】
鉛直方向駆動部２０は、図３に示すように、鉛直方向可変機構１８を回転させる鉛直方向駆動モータである。水平方向駆動部２１は、図２に示すように、水平方向可変機構１９を回転させる水平方向駆動モータである。
【００２７】
角度検出部１４は、発光部１０に設けられ、鉛直方向Ｂにおける発光部１０の角度を検出する鉛直方向角度検出部２２と、水平方向Ｆにおける発光部１０の角度を検出する水平方向角度検出部２３とを備えている。
【００２８】
鉛直方向角度検出部２２は、３軸加速度センサで構成されている。３軸加速度センサは、ＸＹＺ軸の３方向の加速度を検出することができるセンサである。本実施形態に係る３軸加速度センサは、静止時の重力加速度を検出することにより、鉛直方向Ｂにおける発光部１０の傾斜角度を検出している。
【００２９】
水平方向角度検出部２３は、地磁気センサで構成されている。地磁気センサは、磁場（磁界）の大きさ・方向を検出することができるセンサである。本実施形態に係る地磁気センサは、発光部１０が向いている方位を検出することにより、水平方向Ｆにおける発光部１０の傾斜角度を検出している。
【００３０】
制御部１５は、各種演算処理を行う演算部２４と、各種情報を記憶する記憶部２５とを備えている。制御部１５は、ＣＰＵで構成されている。記憶部２５は、ＣＰＵ内蔵のＲＡＭ又はＲＯＭ、あるいはＣＰＵに外部接続されたＲＡＭ又はＲＯＭで構成されている。記憶部２５には、後述する取り外し時角度姿勢に関する情報及び装着時角度姿勢に関する情報が記憶されている。角度姿勢に関する情報とは、例えば鉛直方向角度検出部２２や水平方向角度検出部２３によって検出される発光部１０の角度情報である。
【００３１】
制御部１５は、ストロボ本体部９の下面側が撮像装置１（の上面側に設けられたシュー）に連結された状態でＯＮ信号を出し、連結が解除されるとＯＦＦ信号を出す、ストロボ本体部９の下面側に設けられた検知スイッチ２６からの信号を受けて、ストロボ装置２が撮像装置１から取り外されたこと、及び、ストロボ装置２が撮像装置１に装着されたことを検知する。
【００３２】
制御部１５は、検知スイッチ２６を介してストロボ装置２が撮像装置１から取り外されたことを検知すると、（発光部１０が取り外し時角度姿勢とはなっていない場合に）発光部１０を取り外し時角度姿勢に変更するモード（第１モード）を有している。また、制御部１５は、検知スイッチ２６を介してストロボ装置２が撮像装置１に装着されたことを検知すると、（発光部１０が装着時角度姿勢とはなっていない場合に）発光部１０を装着時角度姿勢に変更するモード（第２モード）を有している。
【００３３】
本実施形態において、取り外し時角度姿勢は、ストロボ装置２をケース等の収納体（図示しない）に収納できるようにするための発光部１０の角度姿勢である。例えば、図５（ａ）に示すような形態でバウンス撮影を行っていたところ、撮影を終えて、使用者がストロボ装置２を撮像装置１から取り外すと、ストロボ装置２の制御部１５は、そのことを検知し、鉛直方向駆動部２０及び／又は水平方向駆動部２１を駆動して、鉛直方向における発光部１０の角度姿勢及び／又は水平方向における発光部１０の角度姿勢を変更させ、ストロボ装置２を真っ直ぐに伸びた状態にする（図５（ｂ））。このような機能がない場合、ストロボ装置２を真っ直ぐに伸びた状態で収納できる収納体にストロボ装置２を収納しようと思えば、使用者が発光部１０を持って回転し、ストロボ装置２を真っ直ぐに伸びた状態にする操作が必要となる。しかしながら、本実施形態によれば、使用者は、そのような操作を行うことなく、ストロボ装置２を撮像装置１から取り外したそのままで収納体に収納することができる。
【００３４】
また、本実施形態において、装着時角度姿勢は、撮影を開始するに際しての発光部１０の角度姿勢である。例えば、図５（ｂ）に示す収納状態にあるストロボ装置２を撮像装置１に装着すると（図５（ｃ））、ストロボ装置２の制御部１５は、そのことを検知し、鉛直方向駆動部２０及び／又は水平方向駆動部２１を駆動して、鉛直方向における発光部１０の角度姿勢及び／又は水平方向における発光部１０の角度姿勢を変更させ、ストロボ装置２を折れ曲がった状態にする（発光部１０が撮像装置１のレンズ光軸方向に向く状態にする）（図５（ｄ））。このような機能がない場合、発光部１０を撮像装置１のレンズ光軸方向に向く状態にしようと思えば、使用者が発光部１０を持って回転し、ストロボ装置２をそのような状態にする操作が必要となる。しかしながら、本実施形態によれば、使用者は、そのような操作を行うことなく、ストロボ装置２を直ちに撮影開始状態にすることができる。そのため、シャッターチャンスを逃すことがない。
【００３５】
なお、本発明に係る撮像装置及びストロボ装置は、上記実施形態に限定されるものではなく、本発明の要旨を逸脱しない範囲内において種々変更を加え得ることは勿論である。
【００３６】
例えば、制御部１５の記憶部２５に予め登録しておく取り外し時角度姿勢及び装着時角度姿勢は、上記実施形態のもの（図５（ｂ）及び図５（ｄ）に示すもの）に限定されない。要は、ストロボ装置２が撮像装置１から取り外された後においてそうなっていたらいいと使用者が望む発光部１０の角度姿勢が取り外し時角度姿勢であり、ストロボ装置２が撮像装置１に装着された後の初期状態においてそうなっていたらいいと使用者が望む発光部１０の角度姿勢が装着時角度姿勢である。
【産業上の利用可能性】
【００３７】
本発明に係る撮像装置及びストロボ装置は、ストロボ本体部が撮像装置から取り外されたことを検知することに伴って発光部を所定の取り外し時角度姿勢に変更するモードを有したり、ストロボ本体部が撮像装置に装着されたことを検知することに伴って発光部を所定の装着時角度姿勢に変更するモードを有する構成とすることにより、ストロボ装置を撮像装置から取り外した後、あるいはストロボ装置を撮像装置に装着した後の、使用者にとって無駄な操作を無くすことができることが必要な用途に適用できる。
【符号の説明】
【００３８】
１  撮像装置
２  ストロボ装置
４  制御部
８  シャッター
９  ストロボ本体部
１０  発光部
１２  可変機構
１３  駆動部
１４  角度検出部
１５  制御部
１８  鉛直方向可変機構
１９  水平方向可変機構
２０  鉛直方向駆動部
２１  水平方向駆動部
２２  鉛直方向角度検出部
２３  水平方向角度検出部
２５  記憶部
２６  検知スイッチ
Ｂ  鉛直方向
Ｃ  照射方向
Ｆ  水平方向
【図１】
2014038267.tif 000003
【図２】
2014038267.tif 000004
【図３】
2014038267.tif 000005
【図４】
2014038267.tif 000006
【図５】
2014038267.tif 000007